(57)【要約】      （修正有）【課題】バラストタンクのサンプリング及び目視検査を簡単な操作で行うことができ、イナートガス封入用接続フランジを簡単に接続でき、タンクの高圧テストができるバラスト検査ハッチカバーを提供する。【解決手段】船舶のバラストタンクに接続している立ち上げ管１０のフランジ１１に取り付けるバラスト検査ハッチカバー１であって、立ち上げ管の開口部を閉鎖する為のシール性を有したフタ部４３とフタ部を開閉可能に支持する為のヒンジ部４２を有し、内部に接続フランジ５３とボルト５２を配置した。【選択図】図１
0003218455.tif 000002
【実用新案登録請求の範囲】
【請求項１】
船舶のバラストタンクに接続している立ち上げ管の管端部に取り付けられたフランジに取付けるバラスト検査ハッチカバーであって，立ち上げ管の上部開口部を閉鎖する為のシール性を有したフタ部とフタ部を開閉可能にするヒンジ部を有すると共にイナートガス封入管接続時に、ハッチ内側のフランジにボルトを設置しているため、ガイドの役目となり接続が容易になるバラスト検査ハッチカバー。
【請求項２】
タンクの高圧テスト実施時にはハッチ内側に接続フランジを有しており閉止フランジを設置することが可能な請求項１に記載のバラスト検査ハッチカバー。
【請求項３】
イナートガス封入管接続時に、密閉部材の高さがイナートガス接続フランジを繋いだ高さより低い為、一般工具で締付が可能な請求項１及び２に記載のバラスト検査ハッチカバー。
【考案の詳細な説明】
【技術分野】
【０００１】本件は、船舶のバラストタンクに連結された立ち上げ管を密封するカバーに関する。
【背景技術】
【０００２】  船舶では、バラストタンク内の液体を管理している。
一端がバラストタンクに連結され、他端が甲板上に突出された立ち上げ管内に
配設されている。
立ち上げ管には、サンプリング及び目視検査を行うための管開口部が設けられており、通常時は、板状の閉止フランジを管開口部に設けられた取付フランジに対してねじで固定することで閉鎖している。
【先行技術文献】
【特許文献】
【０００３】
【特許文献１】特開２０１１−１５７００８号公報
【考案の概要】
【考案が解決しようとする課題】
【０００４】  バラストタンク内のメンテナンスやサンプリング又は、バラストタンク壁に異常があった場合、バラストタンク内にイナートガスを封入する必要があり、その際に閉止フランジを外したり留めたりするのが大変であるという問題があった。【０００５】  考案は、このような問題に基づき開発されたものであり、バラストタンク内のサンプリング及び目視検査、メンテナンス、バラストタンクの高圧テスト、イナートガス注入口接続を簡単に行うことができるバラスト検査ハッチを提供する。
【課題を解決するための手段】
【０００６】  本考案に係るバラスト検査ハッチは、一端がタンクに連結され、他端が甲板上に突出された立ち上げ管内に配設される。立ち上げられた配管口部に取付ける取付フランジと管開口部を閉鎖するためのカバーとその内部にフランジを有しており、カバーを固定するための固定部材を設置している。
【考案の効果】
【０００７】  本考案のバラスト検査ハッチカバーによれば、カバーを専用工具を使用せず容易に開放することができ、バラストタンク内のサンプリングあるいは目視検査を行うことができる。
また高圧テスト時の閉止フランジや緊急時にイナートガス封入用接続フランジを一般工具を用いて締め付けることができるため容易に取付ることができる。
【図面の簡単な説明】
【０００８】
【図１】本考案の一実施の形態に係るバラスト検査ハッチの構成を表す図である。
【図２】図１に示したバラスト検査ハッチのカバーを開放した構成を表す図である。
【図３】図１に示したバラスト検査ハッチに高圧テスト用に閉止フランジを取り付けた図である。
【図４】図１に示したバラスト検査ハッチをＩ方向から見た構成を表す図である。
【図５】図２に示したバラスト検査ハッチをＩＩ方向から見た構成を表す図である。
【考案を実施するための形態】
【０００９】以下、本考案の実施の形態について、図面を参照して詳細に説明する。
【００１０】  図１は本考案の一実施の形態によるバラスト検査ハッチカバー１の構成を表すものであり、図２はカバー開放時を表すものであり、図３は高圧テスト用に閉止フランジを取り付けた図であり、図４はカバー閉時上部から表すものであり、図５は、カバーを開放時の接続用フランジを表す。
【００１１】  このバラスト検査ハッチカバー１は、一端がタンクに連結されて他端が甲板上に突出した状態で立ち上げられた配管口部に取付けるための取付部材３０と、管開口部を閉鎖するためのカバー４０と、カバー４０を固定するための固定部材６０を備える。固定部材６０を留置く固定係止部６１が設けられナット６２によって固定される。
【００１２】  取付部材３０は、管開口部に設けられた取付フランジ１１に取付けるためのカバー取付フランジ３２を有している。カバー取付フランジ３２には、例えば、複数に貫通孔３１が設けられており、取付部材３０はフランジ取付ボルト１２等により取付フランジ１１に固定される。
カバー取付フランジ３２の内部には、管開口部５１にカバー開口部の周りは、密閉部材４４が当接する当接領域となっており、ゴムなどのシール部材４１が配設されている。
バラスト検査ハッチカバー１には、密閉部材４４の側に、固定部材６０を回動可能に支持する固定支持部６３が配設されている。
【００１３】  カバー４０は、管開口部５１を閉鎖するフタ部４３と、このフタ部４３を管開口部５１に対して開閉可能に支持するヒンジ４２とを有している。フタ部４３は、例えば平板状であり、例えばカバー付き取付フランジ２０の側の表面には、外側に縁が設けられてる。シール部材４１を取り付ける為あり、ボルト５２を保護するためである。
【００１４】  また、イナートガス封入時接続フランジ５３のボルト５２の周りには、例えば、カバー４０を開放した際、一般工具を用いてナット５４を締付ができるよう周辺に接続フランジ７１を繋いだ高さより上に金物がないように高さを制限している。
【００１５】  このバラスト検査ハッチカバー１は、立ち上げ管１０の管開口部１３に対して配設して用いられる。通常時は、例えば図１に示したように、カバー４０を閉めて立ち上げ管１０を密閉する。また、立ち上げ管１０の内に配設された装置等のメンテナンスを行う際、又は、バラストタンクのタンク内液をサンプリングする際、又は、バラストタンク内を目視検査等する際、又はイナートガス接続管７２接続の際には、カバー４０を開ける。
【００１６】  このように、本実施の形態に係るバラスト検査ハッチカバー１によれば、管開口部５１を閉鎖する。フタ部４３をヒンジ４２により支持し、固定部材６０により固定するようにしたので、固定部材６０を固定係止部６１から外し、カバー４０を簡単に開けることができる。また、逆に、固定係止部６１を固定部材６０により固定することにより、簡単にカバー４０を閉めることができる。よって、簡単に、バラストタンク内のサンプリングあるいは目視検査、メンテナンス、イナートガス接続管７２接続を行うことができる。
【００１７】  接続フランジ５３にはボルト５２が取付られており高圧タンクテスト時には高圧テスト用閉止フランジ４５（図３）を接続フランジ５３に取付て高圧タンクテストを行うことができる。
【００１８】  以上、実施の形態を挙げて本考案を説明したが、本考案は上記実施の形態に限らず多様な用途に対応可能である。例えば、上記実施の形態では、立ち上げ管１０の頂部に管開口部１３が設けられている場合について図示したが、立ち上げ管１０の側部にカバー４０が設けられても使用可能である。
【符号の説明】
【００１９】  １…バラスト検査ハッチカバー、１０…立ち上げ管、１１…取付フランジ、１２…フランジ取付ボルト、１３…管開口部、２０…カバー付き取付フランジ、３０…取付部材、３１…貫通孔、３２…カバー取付フランジ、４０…カバー、４１…シール部材、４２…ヒンジ、４３…フタ部、４４…密閉部材、４５…高圧テスト用閉止フランジ、５１…管開口部、５２…ボルト、５３…接続フランジ、５４…ナット、６０…固定部材、６１…固定係止部、６２…ナット、６３…固定支持部、７１…接続フランジ、７２…イナートガス封入管
【図１】
0003218455.tif 000003
【図２】
0003218455.tif 000004
【図３】
0003218455.tif 000005
【図４】
0003218455.tif 000006
【図５】
0003218455.tif 000007